(57)【要約】【課題】ユーザ及びショルダーバッグにかかる負担を軽減することができるショルダーバッグを提供する。【解決手段】バッグ本体部と、一端がバッグ本体部の一方の側面に取り付けられるとともに、他端がバッグ本体部の他方の側面に取り付けられるショルダーベルトと、ショルダーベルトをバッグ本体部の左側面及び右側面に取り付けるための取付部材と、取付部材をバッグ本体部に固定するための補強部と、を備え、取付部材に、ショルダーベルトを挿通させて取り付けるための、バッグ本体部の前側から後側に向かって下り傾斜した取付穴を設ける。【選択図】図２
0003165316.tif 000002
【実用新案登録請求の範囲】
【請求項１】
バッグ本体部と、
一端が前記バッグ本体部の一方の側面に取り付けられるとともに、他端が前記バッグ本体部の他方の側面に取り付けられるショルダーベルトと、
前記ショルダーベルトを前記バッグ本体部の左側面及び右側面に取り付けるための取付部材と、
前記取付部材を前記バッグ本体部に固定するための補強部と、を備え、
前記取付部材には、前記ショルダーベルトを挿通させて取り付けるための、前記バッグ本体部の前側から後側に向かって下り傾斜した取付穴が設けられていることを特徴とするショルダーバッグ。
【請求項２】
請求項１に記載のショルダーバッグにおいて、
前記ショルダーベルトが挿通された肩当てパッドを備え、
前記肩当てパッドにおける前記ショルダーベルトを挿通する挿通部の前記ショルダーベルトと接触する接触部分は、前記肩当てパッドにおける当該接触部分以外の部分よりも、前記ショルダーベルトとの摩擦抵抗が低いことを特徴とするショルダーバッグ。
【請求項３】
請求項１又は２に記載のショルダーバッグにおいて、
前記バッグ本体部の内側に設けられ、当該バッグ本体部の内側における前後方向を仕切る仕切り部を備え、
前記仕切り部は、前記バッグ本体部の内側後方に向かって突出可能となるよう形成されていることを特徴とするショルダーバッグ。
【請求項４】
請求項１〜３の何れか一項に記載のショルダーバッグにおいて、
前記バッグ本体部は、平面視において、前記前面及び前記後面が当該バッグ本体部の前側に向かって突出するように湾曲していることを特徴とするショルダーバッグ。
【考案の詳細な説明】
【技術分野】
【０００１】
本考案は、ショルダーバッグに関する。
【背景技術】
【０００２】
従来、バッグ本体部と、一端がバッグ本体部の一方の側面に取り付けられるとともに他端がバッグ本体部の他方の側面に取り付けられたショルダーベルトと、ショルダーベルトが取り付けられた部分を補強する補強部と、を備えるショルダーバッグが知られている。
このようなショルダーバッグにおいては、ショルダーベルトは、バッグ本体部の上面方向に向かって取り付けられており、補強部は、バッグ本体部の上面方向に対して略垂直となるよう設けられている（例えば、特許文献１及び２参照）。
【先行技術文献】
【特許文献】
【０００３】
【特許文献１】実公昭６２−１９３９号公報
【特許文献２】実公昭６３−４４４２号公報
【考案の概要】
【考案が解決しようとする課題】
【０００４】
しかしながら、特許文献１及び２に記載のショルダーバッグのように、ショルダーベルトをバッグ本体部の上面方向に向かって取り付け、補強部をバッグ本体部の上面方向に対して略垂直となるよう設けた場合、ショルダーベルトをユーザの肩に掛けた際にベルトが捻れた形となるため、ユーザの肩及びショルダーベルトの取付部分（補強部）にかかる負担が大きくなるという問題がある。
【０００５】
本考案は、ユーザ及びショルダーバッグにかかる負担を軽減することができるショルダーバッグを提供することを目的とする。
【課題を解決するための手段】
【０００６】
請求項１に記載の考案は、上記目的を達成するためになされたものであり、
ショルダーバッグにおいて、
バッグ本体部と、
一端が前記バッグ本体部の一方の側面に取り付けられるとともに、他端が前記バッグ本体部の他方の側面に取り付けられるショルダーベルトと、
前記ショルダーベルトを前記バッグ本体部の左側面及び右側面に取り付けるための取付部材と、
前記取付部材を前記バッグ本体部に固定するための補強部と、を備え、
前記取付部材には、前記ショルダーベルトを挿通させて取り付けるための、前記バッグ本体部の前側から後側に向かって下り傾斜した取付穴が設けられていることを特徴とする。
【０００７】
請求項２に記載の考案は、
請求項１に記載のショルダーバッグにおいて、
前記ショルダーベルトが挿通された肩当てパッドを備え、
前記肩当てパッドにおける前記ショルダーベルトを挿通する挿通部の前記ショルダーベルトと接触する接触部分は、前記肩当てパッドにおける当該接触部分以外の部分よりも、前記ショルダーベルトとの摩擦抵抗が低いことを特徴とする。
【０００８】
請求項３に記載の考案は、
請求項１又は２に記載のショルダーバッグにおいて、
前記バッグ本体部の内側に設けられ、当該バッグ本体部の内側における前後方向を仕切る仕切り部を備え、
前記仕切り部は、前記バッグ本体部の内側後方に向かって突出可能となるよう形成されていることを特徴とする。
【０００９】
請求項４に記載の考案は、
請求項１〜３の何れか一項に記載のショルダーバッグにおいて、
前記バッグ本体部は、平面視において、前記前面及び前記後面が当該バッグ本体部の前側に向かって突出するように湾曲していることを特徴とする。
【考案の効果】
【００１０】
請求項１に記載の考案によれば、取付部材には、ショルダーベルトを挿通させて取り付けるための、バッグ本体部の前側から後側に向かって下り傾斜した取付穴が設けられているため、人間工学の観点等から、ユーザ及びショルダーバッグにかかる負担を軽減することができる。
即ち、ショルダーベルトをバッグ本体部の上側に向かって後ろ向きに傾斜するよう取り付けることによって、ショルダーベルトを自然にバッグ本体部からユーザの肩へと向かうようにすることができるため、ショルダーバッグがユーザの身体にフィットしやすくなり、ユーザにかかる負担を軽減することができる。また、取付部材に前側から後側に向かって下り傾斜した取付穴を設けたことにより、ショルダーベルトを傾斜させた状態でも捻れが発生することがなく、補強部にかかる力を分散することができるため、ショルダーバッグにかかる負担を軽減することができる。
【００１１】
請求項２に記載の考案によれば、請求項１に記載の考案と同様の効果が得られることは無論のこと、肩当てパッドにおけるショルダーベルトを挿通する挿通部のショルダーベルトと接触する接触部分を、接触部分以外の部分よりも、ショルダーベルトとの摩擦抵抗が低くなるよう構成したため、肩当てパッドがショルダーベルト上を移動しやすくなり、肩当てパッドの位置を容易に調整することができる。
【００１２】
請求項３に記載の考案によれば、請求項１又は２に記載の考案と同様の効果が得られることは無論のこと、バッグ本体部の内側に設けられ、バッグ本体部の内側における前後方向を仕切る仕切り部を、バッグ本体部の内側後方に向かって突出可能となるよう形成したため、例えば、バッグ本体部の前面と仕切り部とにより挟まれる収納部に、厚みのある荷物が収納された場合でも、仕切り部をバッグ本体部の内側後方に突出させることにより、バッグ本体部の前面が外側に向かって突出することを防止でき、ショルダーバッグの見た目が不格好になることを防止できる。
【００１３】
請求項４に記載の考案によれば、請求項１〜３の何れか一項に記載の考案と同様の効果が得られることは無論のこと、平面視において、バッグ本体部の前面及び後面がバッグ本体部の前側に向かって突出するように湾曲しているため、ショルダーバッグがユーザの身体にフィットしやすくなるとともに、ショルダーバッグの角などがすれ違う人や物とぶつかりにくくなり、ユーザにかかる負担を軽減することができる。
【図面の簡単な説明】
【００１４】
【図１】本考案を適用した一実施形態として例示するショルダーバッグ１の正面図である。
【図２】本考案を適用した一実施形態として例示するショルダーバッグ１の右側面図である。
【図３】本考案を適用した一実施形態として例示するショルダーバッグ１の左側面図である。
【図４】本考案を適用した一実施形態として例示するショルダーバッグ１の平面図である。
【図５】本考案を適用した一実施形態として例示するショルダーバッグ１において、仕切り部３がバッグ本体部２の内側後方に向かって突出していない状態を示す右側面断面図である。
【図６】本考案を適用した一実施形態として例示するショルダーバッグ１において、仕切り部３がバッグ本体部２の内側後方に向かって突出した状態を示す右側面断面図である。
【図７】本考案を適用した変形例として例示するショルダーバッグ１Ａの平面図である。
【考案を実施するための形態】
【００１５】
以下、図を参照して、本考案に係るショルダーバッグの最良の形態を詳細に説明する。なお、考案の範囲は、図示例に限定されない。
【００１６】
図１〜６に示すように、ショルダーバッグ１は、バッグ本体部２と、バッグ本体部２の内側を仕切る仕切り部３と、一端がバッグ本体部２の左側面に取り付けられるとともに他端がバッグ本体部２の右側面に取り付けられたショルダーベルト４と、ショルダーベルト４をバッグ本体部２の左側面及び右側面に取り付けるための取付部材５，５と、取付部材５，５をバッグ本体部２に固定するための補強部６，６と、ショルダーベルト４が挿通された肩当てパッド７と、を備えて構成されている。また、ショルダーバッグ１は、ナイロンなどの合成高分子繊維等によって形成されており、表面にはエナメル加工が施されている。
ここで、ショルダーバッグ１において、ユーザがショルダーバッグ１を肩にかけた際に上になる側を上側、下になる側を下側、前になる側を前側、後ろになる側を後側とし、上下方向と前後方向の双方に直交する方向を左右方向とする。
【００１７】
バッグ本体部２は、外形が左右方向に長尺な略直方体形状をなしており、ショルダーバッグ１を使用するユーザが荷物を収納できるようになっている。
バッグ本体部２の内側は、図５に示すように、仕切り部３により前後方向を仕切られることによって、バッグ本体部２の後面と仕切り部３とにより挟まれる第１収納部２１と、バッグ本体部２の前面と仕切り部３とにより挟まれる第２収納部２２と、に分かれている。
【００１８】
バッグ本体部２には、第１収納部２１を開閉するためのファスナー２３がバッグ本体部２の左側面上側から上面を経由して右側面上側に亘って設けられており、第２収納部２２を開閉するためのファスナー２４がバッグ本体部２の前面上側に設けられている。
また、バッグ本体部２の下面には、底鋲２５が設けられている。
【００１９】
仕切り部３は、バッグ本体部２の内側を、第１収納部２１と、第２収納部２２と、に仕切るためのものである。
また、仕切り部３は、左右方向に沿って折りたたまれており、その折りたたまれた状態で、前後方向を仕切るように設けられている。具体的には、仕切り部３は、図５に示すように、側面断面視において、上部が下部よりも前側に配置されるように略Ｚ字状に折りたたまれており、上端がバッグ本体部２の前面上端に固定されるとともに、下端がバッグ本体部２の前面下端に固定されているため、バッグ本体部２の内側後方に向かって突出可能となっている。
【００２０】
即ち、仕切り部３が折りたたまれた状態では、第２収納部２２の厚さは小さい（図５参照）が、厚みのある荷物が収納されると、仕切り部３がバッグ本体部２の内側後方に向かって突出し、第２収納部２２の厚さが大きくなる（図６参照）。
従って、厚みのある荷物が第２収納部２２に収納された場合でも、仕切り部３をバッグ本体部２の内側後方に向かって突出させることにより、バッグ本体部２の前面が外側に向かって突出することを防止できるため、ショルダーバッグ１の見た目が不格好になることを防止できる。
【００２１】
ショルダーベルト４は、略帯形状をなしており、ユーザが肩に掛けることができるようになっている。また、ショルダーベルト４には、長さを調節するためのアジャスター４１が設けられている。
【００２２】
ショルダーベルト４は、バッグ本体部２の左側面及び右側面における上下方向中央より上側の前後方向略中央の位置に、取付部材５を介して、バッグ本体部２の上側に向かって後ろ向きに傾斜して取り付けられている。
従って、ショルダーベルト４は、自然にバッグ本体部２からユーザの肩へと向かうことになり、ユーザの身体にフィットしやすくなるため、ユーザの負担を軽減することができる。
【００２３】
取付部材５は、上辺がバッグ本体部２の前側から後側に向かって下り傾斜した四角形状をなしており、上辺と略平行に設けられた取付穴５ａにショルダーベルト４を挿通させることで、ショルダーベルト４を取り付けることができるようになっている。また、取付部材５は、略水平に設けられた取付穴５ｂに取付ベルト５１を挿通させることで、取付ベルト５１を取り付けることができるようになっている。
即ち、取付部材５には、ショルダーベルト４を挿通させて取り付けるための、バッグ本体部２の前側から後側に向かって下り傾斜した取付穴５ａが設けられており、取付穴５ａを介してショルダーベルト４を取り付けることで、ショルダーベルト４を自然にバッグ本体部２からユーザの肩へと向かうようにすることができるため、ショルダーバッグ１がユーザの身体にフィットしやすくなり、ユーザにかかる負担を軽減することができる。
【００２４】
補強部６は、略帯形状をなしており、バッグ本体部２の左側面及び右側面のそれぞれにおけるバッグ本体部２の前面側から後面側に亘って略水平に設けられている。また、補強部６は、取付部材５の取付穴５ｂに挿通された取付ベルト５１の端部を覆った状態で、取付ベルト５１をバッグ本体部２に取り付けている。
これらの構成により、補強部６は、取付ベルト５１を介して取付部材５をバッグ本体部２に固定することができるようになっている。
【００２５】
肩当てパッド７は、ショルダーベルト４が挿通可能に形成され、ユーザの肩にショルダーベルト４が食い込んだり、ユーザの肩からショルダーベルト４が滑り落ちたりするのを防止できるようになっている。具体的には、ショルダーベルト４の幅（短手長さ）よりも大きい幅を有する略長円形状の第１シート７１と、第１シート７１の幅（短手長さ）と同等の幅を有する略矩形状の第２シート７２と、を重ね合わせ、第１シート７１の短手方向端部と第２シート７２の短手方向端部とを縫い合わせる等して連結することで、第１シート７１と第２シート７２との間にショルダーベルト４を挿通させる挿通部７３が形成されている。
【００２６】
肩当てパッド７の挿通部７３のうち、ショルダーベルト４と接触する接触部分７ａは、接触部分７ａ以外の部分に比して、ショルダーベルト４との摩擦抵抗が小さくなるように形成されている。具体的には、接触部分７ａ以外の部分は、ナイロンなどの合成高分子繊維によって形成されており、表面にはエナメル加工が施されている。一方、接触部分７ａ、即ち、第１シート７１の第２シート７２側及び第２シート７２の第１シート７１側は、同様にナイロンなどの合成高分子繊維によって形成されているが、表面にはエナメル加工が施されていない。
従って、肩当てパッド７とショルダーベルト４の摩擦が軽減されたことにより、肩当てパッド７がショルダーベルト４上を移動しやすくなり、肩当てパッド７の位置を容易に調整することができる。また、接触部分７ａと、接触部分７ａ以外の部分と、の材質が異なっているものの、接触部分７ａは目に見えない位置にあるため、ショルダーバッグ１（肩当てパッド７）の見た目が不格好になることはない。
【００２７】
次に、本実施形態に係るショルダーバッグ１の作用について説明する。
ショルダーベルト４をバッグ本体部２に取り付けるには、バッグ本体部２の左側面及び右側面のそれぞれに固定された取付部材５，５の取付穴５ａ，５ａに、ショルダーベルト４の一端及び他端をそれぞれ挿通させて固定する。これにより、ショルダーベルト４をバッグ本体部２の左側面及び右側面に取り付けることができる。
ショルダーベルト４の長さは、ショルダーベルト４に設けられたアジャスター４１を操作することで調節することができる。
また、肩当てパッド７がショルダーベルト４を挿通可能に形成されているため、ユーザの体型等に合わせて肩当てパッド７の位置を自由に調節することができる。
【００２８】
以上説明した本考案のショルダーバッグ１によれば、取付部材５には、ショルダーベルト４を挿通させて取り付けるための、バッグ本体部２の前側から後側に向かって下り傾斜した取付穴５ａが設けられているため、人間工学の観点等から、ユーザ及びショルダーバッグ１にかかる負担を軽減することができる。
即ち、ショルダーベルト４をバッグ本体部２の上側に向かって後ろ向きに傾斜するよう取り付けることによって、ショルダーベルト４を自然にバッグ本体部２からユーザの肩へと向かうようにすることができるため、ショルダーバッグ１がユーザの身体にフィットしやすくなり、ユーザにかかる負担を軽減することができる。また、取付部材５に前側から後側に向かって下り傾斜した取付穴５ａを設けたことにより、ショルダーベルト４を傾斜させた状態でも捻れが発生することがなく、補強部６にかかる力を分散することができるため、ショルダーバッグ１にかかる負担を軽減することができる。
【００２９】
また、本考案のショルダーバッグ１によれば、肩当てパッド７におけるショルダーベルト４を挿通する挿通部７３のショルダーベルト４と接触する接触部分７ａを、接触部分７ａ以外の部分よりも、ショルダーベルト４との摩擦抵抗が低くなるよう構成したため、肩当てパッド７がショルダーベルト４上を移動しやすくなり、肩当てパッド７の位置を容易に調整することができる。
【００３０】
また、本考案のショルダーバッグ１によれば、バッグ本体部２の内側に設けられ、バッグ本体部２の内側における前後方向を仕切る仕切り部３を、バッグ本体部２の内側後方に向かって突出可能となるよう形成したため、例えば、厚みのある荷物が第２収納部２２に収納された場合でも、仕切り部３をバッグ本体部２の内側後方に向かってに突出させることにより、バッグ本体部２の前面が外側に向かって突出することを防止でき、ショルダーバッグ１の見た目が不格好になることを防止できる。
【００３１】
＜変形例１＞
バッグ本体部２の形状は、上記実施形態のように、左右方向に長尺な略直方体形状に限定されるものではない。例えば、図７に示すように、ショルダーバッグ１Ａのバッグ本体部２Ａを、ユーザの身体にフィットするように湾曲させることも可能である。以下、変形例１として、ショルダーバッグ１Ａについて説明する。
【００３２】
ショルダーバッグ１Ａは、平面視において前面及び後面が前側に向かって突出するように湾曲したバッグ本体部２Ａと、仕切り部３と、ショルダーベルト４と、取付部材５，５と、補強部６，６と、肩当てパッド７と、を備えて構成されている。即ち、バッグ本体部２Ａ以外の構成は、上記した実施の形態（ショルダーバッグ１）の構成と略同一である。
【００３３】
以上説明した変形例１のショルダーバッグ１Ａによれば、平面視において、バッグ本体部２Ａの前面及び後面がバッグ本体部２Ａの前側に向かって突出するように湾曲しているため、ショルダーバッグ１Ａがユーザの身体にフィットしやすくなるとともに、ショルダーバッグ１Ａの角などがすれ違う人や物とぶつかりにくくなり、ユーザにかかる負担を軽減することができる。
【００３４】
以上、本考案に係る実施形態に基づいて具体的に説明したが、本考案は上記実施形態に限定されるものではなく、その要旨を逸脱しない範囲で変更可能である。
【００３５】
例えば、上記実施形態では、取付ベルト５１を介して取付部材５と補強部６とを固定するようにしているが、これに限定されるものではない。例えば、取付部材５と補強部６とを直接固定する構成としてもよい。
【００３６】
また、バッグ本体部の形状は、左右方向に長尺な略直方体形状や、平面視において前面及び後面が前側に向かって突出するように湾曲した形状に限定されるものではない。即ち、ショルダーベルト４を取り付ける左側面及び右側面を有するのであれば、いかなる形状であってもよい。
【００３７】
また、上記実施形態において、仕切り部３は、折りたたまれた状態で、バッグ本体部２の内側における前後方向中央よりも前側に設けられているが、これに限定されるものではない。例えば、仕切り部３を、バッグ本体部２の内側における前後方向中央よりも後側に設ける構成としてもよい。
【００３８】
また、仕切り部３の形状や折りたたみ方などは、仕切り部３がバッグ本体部の内側に向かって突出可能であれば任意である。
また、例えば、仕切り部３をバッグ本体部の前面の材質よりも伸縮性のある材質で形成する等して、仕切り部３をバッグ本体部よりも伸縮性が高くなるよう構成することで、仕切り部３を左右方向に沿って折りたたむことなく、バッグ本体部の内側に向かって突出可能に形成するようにしてもよい。
【符号の説明】
【００３９】
１，１Ａ  ショルダーバッグ
２，２Ａ  バッグ本体部
３  仕切り部
４  ショルダーベルト
５  取付部材
５１  取付ベルト
６  補強部
７  肩当てパッド
【図１】
0003165316.tif 000003
【図２】
0003165316.tif 000004
【図３】
0003165316.tif 000005
【図４】
0003165316.tif 000006
【図５】
0003165316.tif 000007
【図６】
0003165316.tif 000008
【図７】
0003165316.tif 000009